(57)【要約】【課題】電気部品を有する可動体の動作の自由度を高め得る遊技機を提供する。【解決手段】パチンコ機１０は、発光基板１４１を有する回転可動体１３０が取付部１０１に対して回転可能に設けられて、取付部１０１側に位置する演出制御装置と発光基板１４１とを電気的に接続すると共に、取付部１０１には、回転可動体１３０の回転に伴って回転する回転部材８２をケース体７２に収容した回転接続ユニット７０が配設されている。回転接続ユニット７０は、演出制御装置が電気的に接続されたケース体７２側の第１導通部８０と、発光基板１４１が電気的に接続された回転部材８２側の第２導通部９０とを摺接させて互いを導通させている。そして、回転可動体１３０の回転に伴って回転軸線Ｌの交差方向に作用する力を受ける支持部１２４を、取付部１０１に設けた。【選択図】図７
2016140578.tif 000002
【特許請求の範囲】
【請求項１】
電気部品を有する回転可動体が取付部に対して回転可能に設けられて、前記取付部側に位置する制御部と前記回転可動体の電気部品とを電気的に接続するよう構成された遊技機において、
前記取付部には、前記回転可動体の回転に伴って回転する回転部材がケース体に収容された回転接続ユニットが配設されて、該回転接続ユニットにおける前記ケース体側の第１導通部に前記制御部が電気的に接続されると共に、前記回転部材側の第２導通部に前記回転可動体の電気部品が電気的に接続され、当該回転部材の回転時に第１導通部および第２導通部が摺接して電気的に導通するよう構成され、
前記回転可動体の回転軸線から交差方向に離間するよう支持部が前記取付部に設けられて、前記回転可動体の回転に伴って前記回転軸線の交差方向に作用する力を前記支持部で受けるように構成された
ことを特徴とする遊技機。
【請求項２】
前記回転接続ユニットは、
前記ケース体に保持されて、前記第１導通部を有すると共に、前記制御部側に繋がる配線のコネクタが接続されたコネクタ接続部を有するベース基板と、
前記回転部材に保持されて、前記第２導通部を有すると共に、前記電気部品に繋がる配線のコネクタが接続されたコネクタ接続部を有する回転基板とを備え、
前記ケース体は、前記回転軸線を中心とする環状に突出する規制部を備え、
前記回転部材は、前記規制部の内周面に摺接する被規制部を有し、当該被規制部が摺接することで前記回転可動体の回転に伴って前記回転部材が回転するよう構成された請求項１記載の遊技機。
【請求項３】
前記支持部は、前記回転軸線を中心とする環状に設けられ、
前記回転可動体には、前記回転軸線を中心とする環状に延在して当該回転軸線の交差方向に前記支持部と重なる環状壁部が設けられ、
前記環状壁部および前記支持部の間に環状の介挿部材が介挿されて、前記回転可動体の回転に伴って前記回転軸線の交差方向に作用する力を、当該介挿部材を介して前記支持部で支持するよう構成された請求項１または２記載の遊技機。
【請求項４】
前記回転可動体には、駆動手段の駆動力により回転する回転軸を固定するための軸固定部が設けられると共に、前記軸固定部および前記環状壁部を連結する連結壁部が設けられた請求項３記載の遊技機。
【請求項５】
前記介挿部材は、前記回転軸線の延在方向に開口する筒状の第１介在部と、前記第１介在部の端部から前記回転軸線の交差方向に延出する第２介在部とを備え、前記環状壁部および前記支持部の間に前記第１介在部が介在すると共に、前記支持部の突出端部と前記回転可動体との間、または前記環状壁部の突出端部と前記取付部との間に前記第２介在部が介在するよう構成され、
前記第２介在部を挟んで前記支持部の突出端部と対向する前記回転可動体または前記第２介在部を挟んで前記環状壁部の突出端部と対向する前記取付部には、前記第２介在部へ向けて突出する突部が設けられ、当該突部の突出端部が前記第２介在部に当接するよう構成された請求項３または４記載の遊技機。
【請求項６】
前記突部は、前記支持部の突出端部または前記環状壁部の突出端部に対して前記回転軸線の延在方向に並ぶように設けられた請求項５記載の遊技機。
【発明の詳細な説明】
【技術分野】
【０００１】
本発明は、可動体を備えた遊技機に関するものである。
【背景技術】
【０００２】
例えば、遊技機の代表例の一つであるパチンコ機は、機内にセットされる遊技盤の前面側にパチンコ球が打ち出される遊技領域が画成されると共に、図柄の変動表示等の演出表示を行う図柄表示装置が表示面を機前側から視認し得るよう配設されている。このパチンコ機は、遊技領域に設けられた始動入賞口等の入賞口へのパチンコ球の入賞を契機として図柄表示装置での図柄の変動表示を行うと共に、図柄の変動表示の結果として所定の組み合わせで図柄を停止表示させた場合に、遊技者に有利な所謂大当りを発生させるように構成されている。また、パチンコ機の遊技盤等には、そのパチンコ機のモチーフに応じた可動体が配設されており、図柄表示装置での図柄の変動表示等に合わせて可動体が所定の演出動作を実行するよう構成されている(例えば、特許文献１参照)。
【先行技術文献】
【特許文献】
【０００３】
【特許文献１】特開２００８−１００１２０号公報
【発明の概要】
【発明が解決しようとする課題】
【０００４】
ここで、特許文献１に記載の遊技機は、遊技盤に対して回転する可動体を備え、当該可動体に設けた電気部品としての中継端子基板と、遊技盤側に設けた制御部とを信号線により接続している。このような構成においては、可動体の回転に伴い信号線が捻じれることから、捻じれに伴って信号線が断線しない範囲で可動体を回転させる必要があり、動作に面白みが欠ける。
【０００５】
そこで本発明は、従来の技術に内在する前記問題に鑑み、これらを好適に解決するべく提案されたものであって、電気部品を有する可動体の動作の自由度を高め得る遊技機を提供することを目的とする。
【課題を解決するための手段】
【０００６】
前記課題を克服し、所期の目的を達成するため、本願請求項１に係る遊技機は、
電気部品(141)を有する回転可動体(130)が取付部(101)に対して回転可能に設けられて、前記取付部(101)側に位置する制御部と前記回転可動体(130)の電気部品(141)とを電気的に接続するよう構成された遊技機において、
前記取付部(101)には、前記回転可動体(130)の回転に伴って回転する回転部材(82)がケース体(72)に収容された回転接続ユニット(70)が配設されて、該回転接続ユニット(70)における前記ケース体(72)側の第１導通部(80)に前記制御部が電気的に接続されると共に、前記回転部材(82)側の第２導通部(90)に前記回転可動体(130)の電気部品(141)が電気的に接続され、当該回転部材(82)の回転時に第１導通部(80)および第２導通部(90)が摺接して電気的に導通するよう構成され、
前記回転可動体(130)の回転軸線(L)から交差方向に離間するよう支持部(124)が前記取付部(101)に設けられて、前記回転可動体(130)の回転に伴って前記回転軸線(L)の交差方向に作用する力を前記支持部(124)で受けるように構成されたことを要旨とする。
請求項１に係る発明によれば、回転接続ユニットの第１導通部および第２導通部が摺接して電気的に導通することにより、回転可動体の一方向への回転数に拘らず電気部品および制御部の電気的な接続状態を維持することができる。また、回転可動体から回転軸線の交差方向へ作用する力を受ける支持部を、回転接続ユニットに設けるのではなく、回転接続ユニットが配設される取付部に設けることで、回転接続ユニットに対する負荷を軽減することができる。これにより、回転接続ユニットの損傷や変形を防止して第１導通部および第２導通部の相対位置を一定に保つことができるから、回転可動体を自由に回転させつつ、電気部品および制御部の電気的な接続状態を確実に維持することができる。
【０００７】
請求項２に係る発明は、
前記回転接続ユニット(70)は、
前記ケース体(72)に保持されて、前記第１導通部(80)を有すると共に、前記制御部側に繋がる配線のコネクタが接続されたコネクタ接続部(79a)を有するベース基板(79)と、
前記回転部材(82)に保持されて、前記第２導通部(90)を有すると共に、前記電気部品(141)に繋がる配線のコネクタが接続されたコネクタ接続部(87a)を有する回転基板(87)とを備え、
前記ケース体(72)は、前記回転軸線を中心とする環状に突出する規制部(77)を備え、
前記回転部材(82)は、前記規制部(77)の内周面に摺接する被規制部(83)を有し、当該被規制部(83)が摺接することで前記回転可動体(130)の回転に伴って前記回転部材(82)が回転するよう構成されたことを要旨とする。
請求項２に係る発明によれば、ケース体に設けた規制部の内周面に回転部材の被規制部が摺接するよう構成することで、回転部材の回転位置のずれを規制して、電気部品および制御部の電気的な接続状態を確実に維持することができる。
【０００８】
請求項３に係る発明は、
前記支持部(124)は、前記回転軸線(L)を中心とする環状に設けられ、
前記回転可動体(130)には、前記回転軸線(L)を中心とする環状に延在して当該回転軸線(L)の交差方向に前記支持部(124)と重なる環状壁部(135)が設けられ、
前記環状壁部(135)および前記支持部(124)の間に環状の介挿部材(150)が介挿されて、前記回転可動体(130)の回転に伴って前記回転軸線(L)の交差方向に作用する力を、当該介挿部材(150)を介して前記支持部(124)で支持するよう構成されたことを要旨とする。
請求項３に係る発明によれば、支持部および環状壁部の間に介挿部材を介挿することで、回転可動体の回転に伴って支持部および環状壁部の間に生じ得る摩擦抵抗を低減させることができるから、回転可動体をスムーズに回転させることができる。
【０００９】
請求項４に係る発明は、
前記回転可動体(130)には、駆動手段(111)の駆動力により回転する回転軸(131)を固定するための軸固定部(133)が設けられると共に、前記軸固定部(133)および前記環状壁部(135)を連結する連結壁部(134)が設けられたことを要旨とする。
請求項４に係る発明によれば、回転可動体に設けられる軸固定部および環状壁部を連結壁部により同時に補強することができる。
【００１０】
請求項５に係る発明は、
前記介挿部材(150)は、前記回転軸線(L)の延在方向に開口する筒状の第１介在部(151)と、前記第１介在部(151)の端部から前記回転軸線(L)の交差方向に延出する第２介在部(152)とを備え、前記環状壁部(135)および前記支持部(124)の間に前記第１介在部(151)が介在すると共に、前記支持部(124)の突出端部と前記回転可動体(130)との間、または前記環状壁部(135)の突出端部と前記取付部(101)との間に前記第２介在部(152)が介在するよう構成され、
前記第２介在部(152)を挟んで前記支持部(124)の突出端部と対向する前記回転可動体(130)または前記第２介在部(152)を挟んで前記環状壁部(135)の突出端部と対向する前記取付部(101)には、前記第２介在部(152)へ向けて突出する突部(136)が設けられ、当該突部(136)の突出端部が前記第２介在部(152)に当接するよう構成されたことを要旨とする。
請求項５に係る発明によれば、回転可動体または取付部に設けた突部が、介挿部材に設けた第２介在部に当接するよう構成することにより、支持部の突出端部と回転可動体との間、または環状壁部の突出端部と取付部との間に生じ得る摩擦抵抗を低減することができ、回転可動体をスムーズに回転させることができる。
【００１１】
請求項６に係る発明は、
前記突部(136)は、前記支持部(124)の突出端部または前記環状壁部(135)の突出端部に対して前記回転軸線(L)の延在方向に並ぶように設けられたことを要旨とする。
請求項６に係る発明によれば、回転可動体に設けた環状壁部の突出端部または突部と、取付部に設けた突部または支持部の突出端部との間に、第２介在部を安定して支持することができる。
【発明の効果】
【００１２】
本発明に係る遊技機によれば、電気部品を有する可動体の動作の自由度を高めることができる。
【図面の簡単な説明】
【００１３】
【図１】実施例に係るパチンコ機を示す正面図である。
【図２】実施例に係る遊技盤を示す正面図である。
【図３】図２におけるＡ−Ａ線断面図である。
【図４】実施例に係る可動演出装置を正面側から視た状態を示す分解斜視図である。
【図５】実施例に係る可動演出装置を背面側から視た状態を示す分解斜視図である。
【図６】図２のＢ−Ｂ線で横断した可動演出装置の分解図である。
【図７】図２におけるＡ−Ａ線断面図であり、取付部と、回転可動体の一部とを拡大して示している。
【図８】図２におけるＡ−Ａ線断面図であり、回転接続ユニットを拡大して示している。
【図９】実施例に係る回転可動体を正面側から視た状態を示す分解斜視図である。
【発明を実施するための形態】
【００１４】
次に、本発明に係る遊技機につき、好適な実施例を挙げて、添付図面を参照して以下に説明する。なお、実施例では、遊技媒体としてパチンコ球(遊技球)を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
図１に示すように、実施例に係るパチンコ機１０は、矩形枠状に形成されて、遊技店の図示しない設置枠台に固定される固定枠としての外枠１１を備えている。また、パチンコ機１０には、後述する遊技盤２０が着脱可能に保持される本体枠としての中枠１２が、外枠１１の開口前面側に開閉および着脱可能に組み付けられている。この中枠１２における遊技盤２０の下方には、遊技盤２０の前面(遊技領域２１ａ)へ向けてパチンコ球を打ち出す球発射装置(図示せず)が配設されている。更に、パチンコ機１０には、装飾枠としての前枠１３が中枠１２の前側に開閉可能に組み付けられている。この前枠１３には、遊技盤２０の前面(遊技領域２１ａ)を機前方から透視可能な状態で覆う窓板１３ａが設けられている。前枠１３の下部位置には、球発射装置によるパチンコ球の打球位置に供給される前のパチンコ球を貯留する球受け皿１５が一体的に組み付けられており、前枠１３の開閉に合わせて球受け皿１５も一体的に開閉するよう構成される。遊技盤２０には、各種図柄を変動表示可能な図柄表示装置１７が配設されている(図２参照)。実施例では、図柄表示装置１７として、回転可能な複数の回転ドラム(図３参照)の外周面からなる表示面１７ａに各種図柄を夫々配列表示したドラム式の表示装置を用いている。なお、図柄表示装置１７としては、液晶表示装置やＬＥＤ表示装置、ベルト式の表示装置等の各種図柄を変動表示可能な従来公知の表示装置を図柄表示装置として用いることができる。
【００１６】
(遊技盤２０について)
図２に示すように、前記遊技盤２０は、平板状の板部材２１と、この板部材２１の後側に取り付けられる設置部材５０(図３参照)とから構成される。また、設置部材５０には、図柄表示装置１７が着脱可能に配設され、該図柄表示装置１７の表示面１７ａが板部材２１に設けられた枠状装飾体２５(後述)を介して前面側から視認し得るよう構成されている。そして、遊技盤２０では、遊技領域２１ａに打ち出されて流下するパチンコ球が始動入賞部４１の始動入賞口４１ａに入賞することを契機として、図柄表示装置１７の表示面１７ａにおいて図柄を変動表示した後に停止表示する図柄変動演出等の表示演出が行われる。また、遊技盤２０は、設置部材５０の前面に可動演出装置１００が設置されて、パチンコ機１０の前方から可動演出装置１００の回転可動体１３０を視認し得るように構成されており、当該回転可動体１３０が図柄表示装置１７での図柄変動演出に関連して回転動作や発光による演出を行うようになっている。
【００１７】
(板部材２１について)
前記板部材２１は、略矩形状に形成された木材板の表面に各種絵柄等が描かれた装飾用の合成樹脂シート等を貼り付けることで構成されている。この板部材２１の前面(前記窓板１３ａとの間)には、図２に示すように、パチンコ球が流下可能な略円形の遊技領域２１ａが画成されている。また、板部材２１(遊技領域２１ａ)には、前後に貫通するよう貫通口２２(図３参照)が形成され、該貫通口２２に対して、センター役物とも称される大型の装飾部材である枠状装飾体２５が前側から配設されている。そして、枠状装飾体２５の内側に前後に貫通するよう設けた表示窓口２９を通じて、図柄表示装置１７の表示面１７ａが遊技盤２０の前方に臨むように構成されている。この枠状装飾体２５の周囲には、遊技領域２１ａを流下するパチンコ球が入賞可能な入賞部(入賞装置)として、始動入賞部４１、特別入賞部４２および普通入賞部４３が配設されている。具体的には、枠状装飾体２５の下方位置には、遊技領域２１ａを流下するパチンコ球が入賞可能な上下の始動入賞口４１ａが設けられた始動入賞部４１が配設されている。始動入賞部４１の下方には、遊技領域２１ａを流下するパチンコ球が入賞可能な特別入賞口４２ａが設けられた特別入賞部４２が配設されている。更に、枠状装飾体２５の左下方であって遊技領域２１ａの下縁に沿う位置には、遊技領域２１ａを流下するパチンコ球が入賞可能な特別入賞口４２ａが設けられたた普通入賞部４３が配設されている。なお、枠状装飾体２５の左側部には、遊技領域２１ａでのパチンコ球の通過を許容するゲート口４４ａを有する球通過ゲート４４が配設されている。板部材２１には、遊技領域２１ａの最下部、すなわち特別入賞部４２の下側に、各種入賞部４１,４２,４３(球通過ゲート４４を除く)に入賞することなく流下したパチンコ球を機裏側に排出するアウト口２３が形成されている。なお、板部材２１は、アクリルやポリカーボネート等の透明な合成樹脂材により形成したものであってもよい。
【００１８】
図２に示すように、前記始動入賞部４１には、下側の始動入賞口４１ａを挟む左右位置に、上端が相互に近接および離間するよう揺動可能な一対の羽根部材４１ｂが設けられており、図示しないソレノイドにより羽根部材４１ｂを揺動することで、下側の始動入賞口４１ａが開放してパチンコ球が入賞し得るようになっている。パチンコ機１０では、始動入賞部４１の始動入賞口４１ａへ入賞したパチンコ球が始動入賞センサ(図示せず)で検出されることを契機として、図柄表示装置１７の表示面１７ａで図柄変動が開始されるようになっている。
【００１９】
図２に示すように、前記特別入賞部４２には、特別入賞口４２ａを開閉自在に閉鎖する開閉部材４２ｂが設けられ、この開閉部材４２ｂを図示しないソレノイドにより開閉することで、特別入賞口４２ａが開閉されるようになっている。パチンコ機１０では、図柄表示装置１７で行われる図柄変動演出の結果、該図柄表示装置１７に所定の図柄組み合わせ(例えば同一図柄の三つ揃い等)で図柄が停止表示された場合に、所謂「大当り」が発生する。これにより、パチンコ機１０では、特別入賞部４２の特別入賞口４２ａが開放され、特別入賞口４２ａに入賞したパチンコ球が特別入賞センサ(図示せず)で検出されることで、多数の賞球が球受け皿１５に払い出されるよう構成される。なお、図２では、開閉部材４２ｂで特別入賞口４２ａを閉鎖した状態を示している。
【００２０】
図２に示すように、前記球通過ゲート４４は、遊技領域２１ａにおいて始動入賞部４１や特別入賞部４２より上流側に設けられており、当該球通過ゲート４４のゲート口４４ａを通過したパチンコ球が遊技領域２１ａを下方へ向けて流下して、始動入賞部４１の始動入賞口４１ａや、特別入賞部４２の特別入賞口４２ａや、普通入賞部４３の普通入賞口４３ａに入賞し得るように構成されている。球通過ゲート４４には、ゲート口４４ａを通過するパチンコ球を検出した際に、図示しない普通図柄表示装置における普通図柄の変動表示の契機となる検知信号を出力する図示しないゲートセンサが配設されている。パチンコ機１０では、球通過ゲート４４のゲート口４４ａを通過するパチンコ球がゲートセンサ(図示せず)で検出されることを契機として、始動入賞部４１の羽根部材４１ｂを開放するか否かの抽選(判定)が行われるようになっている。
【００２１】
(枠状装飾体２５について)
図２および図３に示すように、前記枠状装飾体２５は、板部材２１の前面に当接して該板部材２１へのネジ止め部位となる台板部２５ａと、この台板部２５ａの後面に後方に突出形成されて、貫通口２２に挿入される嵌合片２５ｂと、台板部２５ａの前面から前方に突出形成されて、該枠状装飾体２５の上縁部から左右側縁部に亘って延在する庇状部２５ｃとを備えている。そして、枠状装飾体２５は、嵌合片２５ｂを貫通口２２に挿入して台板部２５ａを介してネジ止めすることで取り付けられる。枠状装飾体２５は、貫通口２２の開口縁に合わせて形成された枠状の部材であって、前後に開口する表示窓口２９および演出窓口３０が画成されている。ここで、演出窓口３０および表示窓口２９は、庇状部２５ｃの左右側縁部の間で左右に延在する窓口形成部材３１によって上下に区切られた状態で枠状装飾体２５に形成されている。そして、この窓口形成部材３１の下側に設けられる表示窓口２９に、設置部材５０に取り付けられた図柄表示装置１７の表示面１７ａが後側から臨んでいる。
【００２２】
図２および図３に示すように、前記枠状装飾体２５における表示窓口２９の上側(窓口形成部材３１の上側)に設けられた前記演出窓口３０の開口内側には、前記可動演出装置１００の回転可動体１３０(後述)が位置して、前側から視認できるようになっている。すなわち、枠状装飾体２５は、図柄表示装置１７の表示面１７ａが臨む表示窓口２９および回転可動体１３０が臨む演出窓口３０を囲うように構成されている。回転可動体１３０は、前後方向に延在する回転軸１３１を中心に回転するよう構成されており、回転可動体１３０が内側で回転動作し得る大きさおよび形状に演出窓口３０が形成されている。
【００２３】
図３に示すように、前記枠状装飾体２５は、庇状部２５ｃが遊技領域２１ａを形成する遊技盤２０の前面よりも前方に突出するように設けられることで、遊技領域２１ａに打ち出されたパチンコ球が表示窓口２９や演出窓口３０を横切って流下するのを庇状部２５ｃによって防止している。図２に示すように、枠状装飾体２５には、表示窓口２９の下縁をなす下縁部上面に、遊技領域２１ａから取り込んだパチンコ球を左右に転動させるステージ２７が形成されると共に、庇状部２５ｃの左側部で遊技領域２１ａに開口して遊技領域２１ａから取り込んだパチンコ球をステージ２７の左側部に流下案内する球通入部２６を備えている。球通入部２６からステージ２７に導かれたパチンコ球は、ステージ２７を転動した後に当該ステージ２７の排出部から遊技領域２１ａに排出される。そして、このステージ２７の下方に、上側の始動入賞口４１ａが上方へ向けて開口する始動入賞部４１が配設されており、ステージ２７から排出されたパチンコ球が、ステージ２７を経由せずに始動入賞部４１の周辺に到達した場合と較べて始動入賞部４１の上側の始動入賞口４１ａに入賞し易くなっている。また、庇状部２５ｃの右側部には、庇状部２５ｃを右方へ向けて転動するパチンコ球を枠状装飾体２５の下方に通過させる球通路２８が形成されている。
【００２４】
(設置部材５０について)
前記設置部材５０は、合成樹脂材からなり、図３に示すように、略矩形状に形成された設置板部５０ａの外周縁から前方に向けて外周板部５０ｂを延出形成した前側に開口する箱状に形成されている。設置部材５０は、外周板部５０ｂの前端を板部材２１の後面に当接させた状態で該板部材２１に取り付けられ、板部材２１の後側において設置板部５０ａの前面と各外周板部５０ｂの内面とが、部材を収容可能な設置空間５２を画成するよう構成されている。設置部材５０には、表示窓口２９の後方位置に設置板部５０ａを前後に貫通するよう開設された設置開口部５１を介して図柄表示装置１７が着脱可能に設置されて、該図柄表示装置１７の表示面１７ａが貫通口２２に臨むようになっている。なお、実施例の回転可動体１３０は、設置部材５０よりも前方に張り出して演出窓口３０の内側に位置するように構成されている。
【００２５】
図３に示すように、前記設置部材５０には、前面に装飾が施された基台部材５３が、設置空間５２の開口前端部に配設されている。基台部材５３は、前記枠状装飾体２５に設けられた窓口形成部材３１の後端上側に近接すると共に該窓口形成部材３１に沿って左右に延在するよう設けられており、これにより遊技盤２０は、窓口形成部材３１の上側に形成される演出窓口３０の下縁部から基台部材５３の前面が視認し得るように構成されている。そして、基台部材５３の後端面に、前記可動演出装置１００における回転可動体１３０を前側に支持する取付部１０１(図７参照)が固定され、当該取付部１０１が設置空間５２に位置するように構成されると共に、取付部１０１に支持された回転可動体１３０が基台部材５３の前方に配置されて、遊技盤２０の前端位置(演出窓口３０の内側)で回転可動体１３０が回転するようになっている。また、設置部材５０には、回転可動体１３０の背後を装飾するための背景装飾板５４が配設されている。背景装飾板５４は、設置板部５０ａの前面と対向する設置空間５２の後端部に配設され、中央部が回転可動体１３０の後方に重なると共に回転可動体１３０よりも左右および上方に向けて大きく延在するよう構成されている。
【００２６】
(制御装置について)
前記遊技盤２０(設置部材５０)の後面には、遊技に関する統括的な制御を行う図示しない主制御装置や、主制御装置からの指令を受けて演出に関する統括的な制御を行う演出制御装置(図示せず)や、演出制御装置からの指令を受けて図柄表示装置１７を制御する表示制御装置(図示せず)等の制御装置が着脱可能に配設されている。主制御装置には、始動入賞口４１ａに入賞したパチンコ球を検出した始動入賞センサからの検出信号や、特別入賞口４２ａに入賞したパチンコ球を検出した特別入賞センサからの検出信号や、ゲート口４４ａを通過するパチンコ球を検出したゲートセンサからの検出信号や、普通入賞口４３ａに入賞したパチンコ球を検出した図示しない普通入賞センサからの検出信号が入力される。主制御装置は、制御動作を所定の手順で実行することができる主制御用ＣＰＵ、主制御用ＣＰＵの制御プログラムを格納する主制御用ＲＯＭおよび必要なデータの書き込みおよび読み出しができる主制御用ＲＡＭ等の電子部品(何れも図示せず)を備えている。
【００２７】
前記主制御装置は、当り判定用乱数、当り図柄用乱数や変動パターン振分用乱数などの各種乱数の値を所定の周期毎に更新し、更新後の値を主制御用ＲＡＭの設定領域に記憶(設定)することで更新前の値を書き換えており、乱数更新処理(乱数生成処理)を実行するようになっている。例えば、主制御装置では、始動入賞センサから検出信号が入力されると、当該検出信号が入力されたタイミングに応じて主制御用ＣＰＵが当り判定用乱数を取得し、この当り判定用乱数と当り判定値とを比較し、当りとするか否かの当り抽選(大当り判定)を行う。また主制御装置では、前記当り判定の結果が当りの場合には、当り演出のみが含まれる変動パターンテーブルから当り演出を決定する。これに対して、前記当り判定の結果がはずれの場合には、はずれ演出のみが含まれる変動パターンテーブルからはずれ演出を決定する。当り演出およびはずれ演出の決定は、前記当り判定と同様に、主制御用ＣＰＵが取得した乱数により行う。なお、変動パターンテーブルから決定される当り演出およびはずれ演出の変動パターンは、少なくとも図柄変動演出の変動時間および演出内容を特定するものである。そして、パチンコ機１０では、主制御装置の抽選結果に応じて出力された演出制御装置の制御信号に基づいて、表示制御装置が図柄表示装置１７に図柄変動演出を行わせる。また、パチンコ機１０では、主制御装置の抽選結果に応じて出力された演出制御装置の制御信号に基づいて、回転可動体１３０に回転動作や発光を行わせたり、スピーカ(図示せず)から効果音を出力するようになっている。なお、特別入賞センサやゲートセンサまたは普通入賞センサからの検出信号に基づいて可動演出装置１００に演出を行わせるよう構成されていてもよい。
【００２８】
(可動演出装置１００について)
図４、図５および図７に示すように、前記可動演出装置１００は、設置部材５０(遊技盤２０)に取り付けられる取付部１０１と、取付部１０１に対して回転軸１３１により回転可能に支持されると共に発光基板(電気部品)１４１を有する回転可動体１３０と、取付部１０１に配設されて回転可動体１３０を回転駆動する駆動機構１１５,１１６,１１７とを備えている。ここで、回転可動体１３０は、後面に回転軸１３１が固定されて、当該回転可動体１３０が取付部１０１の前に位置すると共に、当該回転可動体１３０が所定方向(実施例では、前後方向)に向く姿勢で、当該取付部に回転可能に支持されている。回転軸１３１の後端側は、取付部１０１に取り付けられた駆動機構１１５,１１６,１１７に接続され、該駆動機構１１５,１１６,１１７の駆動により回転軸１３１が回転すると、回転軸１３１の回転に連動して回転可動体１３０が回転するように構成されている。すなわち、可動演出装置１００は、駆動機構１１５,１１６,１１７の駆動に伴って、前後方向に延在する回転軸線(図８等に示す直線Ｌ)を中心として回転可動体１３０が回転するよう構成されている。そして、この可動演出装置１００には、回転可動体１３０と取付部１０１との間に介挿部材１５０が介挿されて、回転可動体１３０の回転時の摺動性を高めるよう構成されている。
【００２９】
前記可動演出装置１００は、回転可動体１３０の発光基板１４１を、配線や中継基板等を介して遊技盤２０の後面側に配設された演出制御装置と電気的に接続するように構成され、演出制御装置の制御信号に基づいて発光基板１４１の発光体(ＬＥＤ)１４２が発光するよう制御されることで回転可動体１３０による発光表示が行われる。ここで、可動演出装置１００の取付部１０１は、図６および図７に示すように、回転可動体１３０に設けられる発光基板１４１と、取付部１０１側(遊技盤２０)に設けられる演出制御装置との電気的な接続を中継する回転接続ユニット７０(図８参照)を備えている。この可動演出装置１００の回転接続ユニット７０は、演出制御装置と電気的に接続された導通片(第１導通部)８０と、発光基板１４１と電気的に接続されて回転可動体１３０の回転に伴い回転軸線Ｌを中心に回転する導通面部(第２導通部)９０とを備え、導通面部９０と導通片８０とが摺接して相互に導通するように構成されている。
【００３０】
(取付部１０１について)
図３、図６および図７に示すように、前記取付部１０１は、回転可動体１３０を回転駆動する駆動機構１１５,１１６,１１７や原位置センサ１１４が取り付けられる駆動取付部材１０２,１０３と、駆動取付部材１０２,１０３に取り付けられて回転可動体１３０を支持する支持カバー１２０とを備えており、回転可動体１３０の回転に伴う回転軸線Ｌの交差方向に作用する力を支持カバー１２０で支持するように構成されている。また、取付部１０１は、駆動取付部材１０２,１０３の後述する第１保持枠部１１０と、支持カバー１２０の後述する第２保持枠部１２５との間に、回転接続ユニット７０を保持するためのユニット収容部１２６を画成するように構成されている。駆動機構１１５,１１６,１１７は、駆動モータ１１５、駆動ギヤ１１６および従動ギヤ１１７を備えており、駆動源としての駆動モータ１１５から突出する出力軸１１５ａに対して駆動ギヤ１１６が固定されると共に、回転軸１３１に固定された従動ギヤ１１７が駆動ギヤ１１６に噛合するよう構成されている。すなわち、駆動機構１１５,１１６,１１７は、駆動モータ１１５の駆動に伴って回転軸１３１と共に回転可動体１３０を回転駆動し得るように構成されている。原位置センサ１１４は、従動ギヤ１１７の外周に設けた検知片１１７ａを検出することで、回転可動体１３０の回転原位置(実施例では、回転可動体１３０の前面が図２に示す状態となる回転位置)を検出するように構成されている。
【００３１】
ここで、前記取付部１０１は、図３に示すように、設置部材５０が画成する設置空間５２に収容されると共に、枠状装飾体２５の演出窓口３０の内側であって基台部材５３よりも前側で回転動作および発光表示するように回転可動体１３０を支持している。すなわち、遊技者側に近い位置で回転可動体１３０に回転動作や発光表示を行わせることにより、回転可動体１３０の存在感を高めている。また、枠状装飾体２５における演出窓口３０の周囲に位置する枠状装飾体２５や基台部材５３の装飾と近い位置で回転可動体１３０が回転動作や発光表示を行うことにより、回転可動体１３０と周囲の装飾との関係性を強めて装飾効果を高めている。更に、背景装飾板５４を設置空間５２の後端部に設けて当該背景装飾板５４と回転可動体１３０との前後の離間寸法を最大限に確保することで、背景装飾板５４と回転可動体１３０との遠近差により回転可動体１３０が前方に迫り出す印象を強調して、回転可動体１３０の存在感を高めている。ここで、取付部１０１は、設置空間５２の前端部に設けられた基台部材５３に支持されている。これにより、基台部材５３の前側で回転する回転可動体１３０を、最小限の長さで形成した回転軸１３１で支持でき、回転可動体１３０が回転に伴う遠心力で回転軸線Ｌの交差方向にがたつくのを防いでいる。また、取付部１０１には、回転可動体１３０を支持する支持部１２４(後述)が設けられて、回転可動体１３０の回転に伴って回転軸線Ｌの交差方向に作用する力を当該支持部１２４で受けることで、回転可動体１３０が回転軸線Ｌの交差方向にがたつくのを防いでいる。
【００３２】
(駆動取付部材１０２,１０３について)
図６および図７に示すように、前記取付部１０１は、駆動取付部材１０２,１０３として、後側部材１０２と、中間部材１０３とを備えており、後側部材１０２および中間部材１０３を組み付けることで、内側に空間(ギヤ収容空間１１１)を画成するように構成されている。駆動取付部材１０２,１０３には、後側部材１０２および中間部材１０３における前後に整列する位置に筒状の挿通孔部１０６が夫々形成されており、回転可動体１３０の回転軸１３１が前後の挿通孔部１０６に対して前側から挿通されるようになっている。挿通孔部１０６には、回転軸１３１を軸受する軸受け部材１０７が配設されて、当該回転軸１３１が円滑に回転するよう構成されている。なお、軸受け部材１０７は、自己潤滑性に優れたポリアセタール(ＰＯＭ)等から形成されており、挿通孔部１０６に挿入されると共に回転軸１３１を挿通する受け孔が形成された受け筒１０７ａと、受け筒１０７ａの端部から外方へ突出して挿通孔部１０６との当接により位置規制されるフランジ１０７ｂとを有している。回転軸１３１には、後側部材１０２の挿通孔部１０６を介して駆動取付部材１０２,１０３の後方に突出する端部に抜け止め部材１０８が取り付けられており、当該抜け止め部材１０８が後側部材１０２の挿通孔部１０６に受け筒１０７ａを挿入した軸受け部材１０７におけるフランジ１０７ｂに後側から当接することにより、回転軸１３１が前方へ抜け出ないように構成されている。すなわち、回転軸１３１は、軸受け部材１０７を介して駆動取付部材１０２,１０３の挿通孔部１０６に挟持されている。そして、回転軸１３１に対して一体的に回転するように、従動ギヤ１１７が駆動取付部材１０２,１０３のギヤ収容空間１１１内に収容されている。
【００３３】
また、前記後側部材１０２の後面には、図５に示すように、駆動モータ１１５が取り付けられるモータ取付部１０５が設けられている。モータ取付部１０５には、ギヤ収容空間１１１に開口するギヤ通孔１０５ａが形成されて、該モータ取付部１０５に取り付けた駆動モータ１１５の出力軸１１５ａがギヤ通孔１０５ａを介してギヤ収容空間１１１に突出すると共に、出力軸１１５ａに固定された駆動ギヤ１１６がギヤ収容空間１１１に位置して、回転軸１３１に固定された従動ギヤ１１７と噛合している。更に、前記取付部１０１は、中間部材１０３の後面(ギヤ収容空間１１１側の面)に形成されたセンサ取付部１０９に原位置センサ１１４が取り付けられ、従動ギヤ１１７に設けた検知片１１７ａをギヤ収容空間１１１内で原位置センサ１１４が検出し得るようになっている。なお、中間部材１０３のセンサ取付部１０９には、原位置センサ１１４が嵌合する露出口１０９ｂが前後に貫通するよう形成されて、露出口１０９ｂに嵌合することで検知片１１７ａを検出可能な位置に原位置センサ１１４を位置合わせし得るようになっている。
【００３４】
図４、図６および図７に示すように、前記中間部材１０３の前壁１０４には、回転接続ユニット７０を保持するための第１保持枠部１１０が形成されている。第１保持枠部１１０は、中間部材１０３の前壁１０４から前方へ向けて突出する矩形枠状に形成されている。この第１保持枠部１１０は、支持カバー１２０に設けた後述する第２保持枠部１２５と前後に整列して、当該第１保持枠部１１０と、前壁１０４と、支持カバー１２０における後述の第２保持枠部１２５およびカバー基部１２１との内側にユニット収容部１２６を画成し、当該ユニット収容部１２６の内側に回転接続ユニット７０を保持するように構成されている。第１保持枠部１１０は、上辺を構成する第１上枠部１１０ａと、下辺を構成する第１下枠部１１０ｂと、左右両側辺を構成する第１側枠部１１０ｃとで構成されている。ここで、第１保持枠部１１０は、回転接続ユニット７０の上下および左右の外郭より僅かに大きくなるように形成され、当該第１保持枠部１１０の内側で回転接続ユニット７０が上下および左右に僅かに移動できるようになっている。
【００３５】
すなわち、前記回転可動体１３０から回転軸線Ｌの交差方向への力を受けた支持カバー１２０が中間部材１０３に対して相対的にずれる(ぐらつく)際に、ユニット収容部１２６内で回転接続ユニット７０が支持カバー１２０に追従して変位し得るように構成されている。第１保持枠部１１０の右側の第１側枠部１１０ｃは、前記露出口１０９ｂの形成位置に対応する部位が左右および前方に開口する凹状に形成されている。また、第１保持枠部１１０の第１上枠部１１０ａには、上下および前方に開口する凹状の第１凹部１１０ｄが形成されており、支持カバー１２０に設けた後述する第２凹部１２５ｄと、当該第１凹部１１０ｄとが整合することで、前記回転接続ユニット７０の上コネクタ接続部７９ａを取付部１０１の上方へ向けて露出させる開放部１０１ａを画成するようになっている(図４および図５参照)。開放部１０１ａは、回転接続ユニット７０の後述する上接続用開口７８と対向するように形成されており、当該上接続用開口７８を取付部１０１の上方へ向けて露出させるようになっている。なお、第１凹部１１０ｄの縁部は、上方へ向けて突出するように設けられ、回転接続ユニット７０の上コネクタ接続部７９ａに接続する配線のコネクタを保護している。
【００３６】
更に、前記中間部材１０３の前壁１０４には、図４および図６に示すように、第１保持枠部１１０における左右両側の第１側枠部１１０ｃの外側に隣接する位置に、支持カバー１２０の後述する固定突部１２２を固定する固定受部１１２が形成されている。固定受部１１２は、前方へ開口する筒状に形成され、支持カバー１２０の固定突部１２２を前側から嵌合し得るように設けられており、当該固定受部１１２に固定突部１２２を嵌合することで、中間部材１０３に対する支持カバー１２０の離脱を防止するようになっている。ここで、左側の第１側枠部１１０ｃには、上下に離間して２つの固定受部１１２が設けられている。この固定突部１２２は、Ｕ字形状の壁の両端部が第１側枠部１１０ｃに連結されて半円筒状に形成されており、第１側枠部１１０ｃに沿って固定突部１２２を嵌合させることができ、かつ嵌合した固定突部１２２の上下および左右方向の移動を規制するようになっている。また、右側の第１側枠部１１０ｃも同様に、上下に離間して２つの固定受部１１２が、Ｕ字形状の壁の両端部が第１側枠部１１０ｃに連結されて半円筒状に形成されており、第１側枠部１１０ｃに沿って固定突部１２２を嵌合させることができ、かつ嵌合した固定突部１２２の上下および左右方向の移動を規制するようになっている。この右側の第１側枠部１１０ｃの外側(右側)に一体的に設けられた上下の固定受部１１２の間には、原位置センサ１１４に繋がる配線のコネクタを前側から覆って保護するためのセンサ保護壁１０９ａが形成されて、当該センサ保護壁１０９ａによって上下の固定受部１１２が連結されている。
【００３７】
(支持カバー１２０について)
図４および図６に示すように、前記支持カバー１２０は、回転軸線Ｌの交差方向に延在する平板状のカバー基部１２１を備え、カバー基部１２１に対して、後述する連通口１２１ａ、第２保持枠部１２５、位置決めピン１２３(図５および図６参照)、固定突部１２２および支持部１２４が設けられている。支持カバー１２０には、連通口１２１ａがカバー基部１２１を前後に貫通するよう形成されて矩形枠状に構成されている。この支持カバー１２０には、中間部材１０３の固定受部１１２に対してネジで固定される固定突部１２２が該固定受部１１２に対向するよう設けられると共に、中間部材１０３との間に回転接続ユニット７０を保持する第２保持枠部１２５が中間部材１０３の第１保持枠部１１０に対向して設けられている。支持カバー１２０は、回転可動体１３０および回転接続ユニット７０の間に設けられており、回転可動体１３０に備えた発光基板１４１と、回転接続ユニット７０の後述する回転基板８７(図８参照)とを接続する配線が連通口１２１ａに挿通されている。更に、支持カバー１２０におけるカバー基部１２１の前面には、前記回転可動体１３０から回転軸線Ｌの交差方向に作用する力を受ける支持部１２４(後述)が設けられている。
【００３８】
図５および図６に示すように、第２保持枠部１２５は、支持カバー１２０のカバー基部１２１の後面から後方へ向けて突出する矩形枠状に形成されている。この第２保持枠部１２５は、中間部材１０３に設けた前記第１保持枠部１１０と前後に整列して、当該第２保持枠部１２５と、カバー基部１２１と、中間部材１０３における第１保持枠部１１０および前壁１０４との内側にユニット収容部１２６を画成し、当該ユニット収容部１２６に回転接続ユニット７０を保持するように構成されている。第２保持枠部１２５は、上辺を構成する第２上枠部１２５ａと、下辺を構成する第２下枠部１２５ｂと、左右の側辺を構成する第２側枠部１２５ｃとで構成されている。第２保持枠部１２５の内側面は、回転接続ユニット７０の上下および左右の外郭と整合するようになっている。
【００３９】
また、図５および図６に示すように、前記第２保持枠部１２５における左右両側の第１側枠部１１０ｃには、後方に突出する筒状の固定突部１２２が設けられている。固定突部１２２は、前記中間部材１０３の固定受部１１２と前後に対向するよう設けられており、各固定突部１２２を中間部材１０３の固定受部１１２に前側から挿嵌して、後面側から固定受部１１２に挿通させたネジを固定突部１２２に螺挿することで、中間部材１０３と支持カバー１２０とが組み付けられる。なお、駆動取付部材１０２,１０３に対して支持カバー１２０が組み付けられた状態で、回転接続ユニット７０に対向する支持カバー１２０のカバー基部１２１の後面と中間部材１０３の前壁１０４の前面との間の前後寸法は、回転接続ユニット７０における後述のケース体７２(図７参照)の前後寸法より僅かに大きな寸法となるように構成されている。そして、ユニット収容部１２６には、中間部材１０３の前壁１０４と、支持カバー１２０のカバー基部１２１との間で回転接続ユニット７０の前後への移動を規制した状態で駆動取付部材１０２,１０３の前側に組み付けられる。更に、支持カバー１２０のカバー基部１２１の後面には、第２保持枠部１２５の内側四隅から後方へ突出する複数(実施例では４つ)の位置決めピン１２３(図５参照)が形成されている。この位置決めピン１２３は、回転接続ユニット７０における後述のケース体７２に形成された４つの位置決め孔７３に挿入されて、ユニット収容部１２６の内側で回転接続ユニット７０を位置決めするように機能している。
【００４０】
このように、前記回転接続ユニット７０は、ネジ等の固定手段を用いることなく回転接続ユニット７０を中間部材１０３および支持カバー１２０の内側に保持し得るように構成されている。なお、回転接続ユニット７０は、第１保持枠部１１０の上下左右の枠部１１０ａ,１１０ｂ,１１０ｃ,１１０ｃおよび第２保持枠部１２５の上下左右の枠部１２５ａ,１２５ｂ,１２５ｃ,１２５ｃに対して内側に離間した位置で、位置決めピン１２３と位置決め孔７３との位置決めにより支持されている。すなわち、支持カバー１２０は、中間部材１０３に設けた固定受部１１２に対して固定突部１２２が嵌合してネジにより固定されると共に、中間部材１０３との間に画成されるユニット収容部１２６に収容された回転接続ユニット７０を、該回転接続ユニット７０の位置決め孔７３に挿入した位置決めピン１２３により位置決めするよう構成される。そして、ユニット収容部１２６内で位置決めピン１２３により位置決めされた回転接続ユニット７０は、第１上枠部１１０ａに対して下方に離間して設けられ、支持カバー１２０が中間部材１０３に対して上方にずれた際に、支持カバー１２０に追従して第１上枠部１１０ａへ向けて移動し得るように構成されている。また、回転接続ユニット７０は、第１下枠部１１０ｂに対して上方に離間して設けられ、支持カバー１２０が中間部材１０３に対して下方にずれた際に、支持カバー１２０に追従して第１下枠部１１０ｂへ向けて移動し得るように構成されている。更に、回転接続ユニット７０は、左右の第１側枠部１１０ｃに対して内側に離間して設けられ、支持カバー１２０が中間部材１０３に対して相対的に左右方向にずれた際に、支持カバー１２０に追従して何れか一方の第１側枠部１１０ｃへ向けて移動し得るように構成されている。
【００４１】
また、前記第２保持枠部１２５の第２上枠部１２５ａには、上下および前方に開口する凹状の第２凹部１２５ｄが形成されており、前記中間部材１０３に設けた第１凹部１１０ｄと、当該第２凹部１２５ｄとが整合することで、前記回転接続ユニット７０の上コネクタ接続部７９ａを取付部１０１の上方へ向けて露出させる開放部１０１ａを画成するようになっている(図４および図５参照)。開放部１０１ａは、回転接続ユニット７０の後述する上接続用開口７８と対向するように形成されており、当該上接続用開口７８を取付部１０１の上方へ向けて露出させるようになっている。なお、第２凹部１２５ｄの縁部は、上方へ向けて突出するように設けられ、回転接続ユニット７０の上コネクタ接続部７９ａ(図８参照)に接続する配線のコネクタを保護している。
【００４２】
(支持部１２４について)
図４、図６および図７に示すように、前記支持カバー１２０のカバー基部１２１の前面には、前記連通口１２１ａの開口縁に沿って延在すると共に前方(回転可動体１３０の可動体ベース１３２側)へ向けて突出する支持部１２４が設けられている。支持部１２４は、カバー基部１２１の前面に沿って延在すると共に、回転軸線Ｌを中心とする円環状に形成され、回転可動体１３０の回転軸１３１に対して径方向に離間している。ここで、実施例の可動演出装置１００は、回転可動体１３０の可動体ベース１３２に前端部が固定された回転軸１３１における後端側が取付部１０１(具体的には、駆動取付部材１０２,１０３)に設けた軸受け部材１０７によって支持されており、可動体ベース１３２が軸受け部材１０７(挿通孔部１０６)に対して前方に離間しているため、回転可動体１３０が回転する際に、回転可動体１３０が遠心力で回転軸線Ｌに対する交差方向にがたつき易い構成となっている。これに対し、支持部１２４は、回転可動体１３０の一部(具体的には、後述する環状壁部１３５)に対して回転軸線Ｌの交差方向に重なるように構成されており、当該回転軸線Ｌの交差方向に向かって作用する力(回転可動体１３０が遠心力に伴って回転軸線Ｌを傾ける方向に変位しようとする力)を受けるように構成されている。
【００４３】
このように、可動演出装置１００は、回転接続ユニット７０とは別部材として備えた支持カバー１２０に支持部１２４を設け、回転可動体１３０の回転に伴って回転軸線Ｌの交差方向に作用する力を支持部１２４で受けることで回転軸１３１の先端部に固定される回転可動体１３０が回転に伴って回転軸線Ｌの交差方向にがたつくのを防ぎ、当該回転可動体１３０の回転に伴って回転軸線Ｌの交差方向へ作用する力による回転接続ユニット７０への負担を軽減している。また、可動演出装置１００は、回転接続ユニット７０を挟む前後(支持部１２４と、軸受け部材１０７)で回転軸１３１を支持することで、回転可動体１３０の回転に伴う回転軸線Ｌの交差方向への力が回転接続ユニット７０に作用するのを抑制している。なお、実施例の回転可動体１３０には、支持カバー１２０のカバー基部１２１の前面と対向する可動体ベース１３２の後面に、後方へ突出する円環状の環状壁部１３５が設けられ、この円環状の環状壁部１３５と、環状の支持部１２４とが回転軸線Ｌの交差方向に重なるように設けられている。そして、支持カバー１２０は、環状壁部１３５から回転軸線Ｌの交差方向に作用する力を支持部１２４で受けるように構成されている。なお、環状壁部１３５と支持カバー１２０の支持部１２４との関係において、支持部１２４の内周面の径寸法は、環状壁部１３５の外周面の径寸法よりも僅かに大きく設けられて、支持部１２４および環状壁部１３５の間に、摺動性の高い素材(例えば、ＰＯＭ)からなる環状の介挿部材１５０が介挿されている。
【００４４】
(回転接続ユニット７０について)
図８に示すように、前記回転接続ユニット７０は、前記演出制御装置に対して電気的に接続されたベース基板７９を有するケース体７２と、回転可動体１３０の発光基板１４１に対して電気的に接続された回転基板８７を有する回転部材８２とを備えている。回転接続ユニット７０は、ケース体７２に回転部材８２が回転可能に支持されている。この回転接続ユニット７０は、ベース基板７９の導通片８０と、回転基板８７の導通面部９０とが相互に接触して、演出制御装置および発光基板１４１の電気的な接続を中継するように構成されている。
【００４５】
図８に示すように、前記ケース体７２は、ベース基板７９が前面に載置される矩形板状の後ケース７２ａと、後方に開口する箱状であって後端開口が後ケース７２ａの外縁形状に整合するよう設けられた前ケース７２ｂとにより構成され、後ケース７２ａと前ケース７２ｂとの一方に設けた図示しない係止爪が他方の部材に設けた係止孔に係止することにより相互に固定されて、ベース基板７９および回転部材８２を収容可能なユニット内空間７２ｃを内側に画成している。後ケース７２ａおよび前ケース７２ｂが構成するケース体７２の上面には、上方に開口する上接続用開口７８が形成され、当該上接続用開口７８によって、ベース基板７９に設けた上コネクタ接続部７９ａの接続口がケース体７２の上方に露出するようになっている。上接続用開口７８は、取付部１０１に形成された開放部１０１ａ(第１凹部１１０ｄおよび第２凹部１２５ｄ)と対応する位置に設けられている。すなわち、演出制御装置と電気的に接続される図示しない配線のコネクタは、取付部１０１の開放部１０１ａ(第１凹部１１０ｄおよび第２凹部１２５ｄ)を介して取付部１０１の内部に挿入されると共に、上接続用開口７８を介して回転接続ユニット７０のケース体７２の内部に挿入されて、ベース基板７９の上コネクタ接続部７９ａに接続される。また、ケース体７２の四隅には、支持カバー１２０に設けられた位置決めピン１２３に対応する位置決め孔７３(図４および図５参照)が、前ケース７２ｂおよび後ケース７２ａを前後に貫通するよう形成されている。回転接続ユニット７０は、ケース体７２に設けた位置決め孔７３に対して支持カバー１２０の位置決めピン１２３を前側から挿入することで、支持カバー１２０に対して位置決めされるようになっている。すなわち、回転接続ユニット７０(ケース体７２)は、回転可動体１３０の回転時に支持カバー１２０に追従して、前記ユニット収容部１２６内で移動し得るようになっており、回転軸線Ｌの交差方向での回転接続ユニット７０および回転可動体１３０の相対位置のずれを防止している。
【００４６】
図８に示すように、前記後ケース７２ａには、回転軸１３１が挿通する軸挿通孔７４と、前方に開口すると共に底部に軸挿通孔７４が開口する円筒状の後側規制部７５とが設けられている。軸挿通孔７４は、回転軸１３１の挿通位置に対応して設けられ、回転軸１３１と干渉しないよう当該回転軸１３１の外径よりやや大径の円形状に形成されている。後側規制部７５は、内周形状が回転部材８２の後述する軸係合筒８５の突出端部の外周形状と整合する形状とされると共に、当該後側規制部７５の外周形状がベース基板７９に回転軸１３１の挿通位置に対応して設けられた基板通孔７９ｂの内周形状と整合する形状とされている。そして、ベース基板７９は、基板通孔７９ｂを後側規制部７５に嵌合させて位置合わせした際に状態で後ケース７２ａの前面に接着されることで、ベース基板７９と、回転基板８７との相対位置のずれが防止されている。また、後ケース７２ａは、回転部材８２の軸係合筒８５が後側規制部７５の内側に嵌合して底面に当接することで、回転部材８２がケース体７２に対してそれ以上後方へ移動するのを規制すると共に、回転部材８２における回転軸線Ｌの交差方向への変位を規制している。
【００４７】
図８に示すように、前記前ケース７２ｂは、前記後ケース７２ａと対向するケース前壁７６を前後に貫通するようケース連通口７６ａが形成されて矩形枠状に構成されている。前ケース７２ｂにおけるケース前壁７６の前面には、前記ケース連通口７６ａの開口縁に沿って延在すると共に前方(回転可動体１３０の可動体ベース１３２側)へ向けて突出する前側規制部７７が設けられている。前側規制部７７の内周面は、回転部材８２の後述する軸筒部８３の外周面と略同形状(実際には、軸筒部８３の外周面より僅かに大径)となるように形成され、回転部材８２の回転に伴って当該軸筒部８３の外周面が前側規制部７７の内周面に摺接するよう形成されている。また、前側規制部７７の内周面の径寸法は、回転部材８２の後述する板状部８６の外周面の径寸法より小さく設けられ、当該板状部８６の前面が前ケース７２ｂの後面に当接して回転部材８２がケース体７２から前方に抜け出ないようになっている。なお、前側規制部７７の突出寸法は、回転部材８２の軸筒部８３の前後寸法と略同一とされており、前ケース７２ｂの後面に回転部材８２の板状部８６の前面を当接させた状態で、前側規制部７７の前端位置と回転部材８２の軸筒部８３の前端位置とが揃うように構成されている。
【００４８】
図８に示すように、ベース基板７９には、回転軸１３１が挿通する位置に、回転軸１３１より大径の基板通孔７９ｂが前後に貫通するよう形成されている。そして、ベース基板７９は、基板通孔７９ｂが後ケース７２ａの後側規制部７５の外周面に嵌合して、後ケース７２ａの前面に位置合わせした状態で固定されている。また、ベース基板７９における基板通孔７９ｂから離間する(回転部材８２の配設位置から外れた)上端部の前面には、演出制御装置と電気的に接続される配線のコネクタが接続される上コネクタ接続部７９ａが設けられている。上コネクタ接続部７９ａは、接続口が上方を向くようにベース基板７９の前面に設けられ、当該接続口が前記上接続用開口７８および前記開放部１０１ａ(第１凹部１１０ｄおよび第２凹部１２５ｄ)を通じて取付部１０１の上方へ向けて露出するように構成されている。
【００４９】
図８に示すように、前記ベース基板７９の前面における基板通孔７９ｂより外縁側には、回転基板８７の後面に形成された後述する導通面部９０に摺接する複数の導通片８０が設けられている。導通片８０は、金属の板バネにより構成され、一端側がベース基板７９の前面に固定されてベース基板７９に形成された回路(上コネクタ接続部７９ａが配設された回路)と接続されると共に、基板通孔７９ｂに近接する他端側が常にはベース基板７９から前方に離間するよう設けられて、ベース基板７９側に弾性変形可能に設けられている。導通片８０は、回転基板８７の導通面部９０に対して押し付けられるように付勢された状態で当接している。そして、回転部材８２の回転に伴って回転基板８７が回転すると、導通片８０が導通面部９０と相互に摺接するようになっている。なお、導通片８０における導通面部９０に当接する側の端部は、導通面部９０との近接側が凸となる曲状に形成されており、曲面で導通面部９０と当接するようになっている。これにより、導通片８０が導通面部９０と安定的に接触するように構成されている。
【００５０】
図８に示すように、前記回転部材８２は、回転基板８７の前面が当接する板状部８６と、ケース体７２のケース連通口７６ａに嵌合する軸筒部８３とを備え、回転基板８７の後面を後方に露出した状態で内側に保持するよう構成されている。この回転部材８２は、回転基板８７の前面を覆う円形板状の基材８２ａと、基材８２ａの外周縁部との間に回転基板８７の外周縁部を挟持する円環状の基材保持部材８２ｂとにより構成されている。基材保持部材８２ｂは、回転基板８７の外周縁部を後側から支持して、基材８２ａとの間に回転基板８７の外周縁部を挟持するように構成されている。回転基板８７の前面に設けられた前コネクタ接続部８７ａは、前記軸筒部８３の内側に収容されると共に、該軸筒部８３の前面を形成する前面板８３ａを前後に貫通するよう形成された前接続用開口８４を通じて回転接続ユニット７０の前方に露出している。回転基板８７の後面には、回転軸線Ｌを中心とした同心円をなす複数の円形帯状の導通面部９０が設けられている。導通面部９０は、ベース基板７９に設けられた複数の導通片８０が接触する位置に夫々設けられており、回転基板８７が回転すると、ベース基板７９から前方に離間するよう付勢された導通片８０の端部が導通面部９０に沿って相対的に移動して導通面部９０と摺接することで、導通面部９０と導通片８０との接触状態が維持されるようになっている。
【００５１】
図８に示すように、軸筒部８３の前面板８３ａには、後方へ向けて突出する筒状の軸係合筒８５が設けられており、当該軸係合筒８５には、前後に開口すると共に回転軸１３１が挿通される軸係合孔８５ａが形成されている。ここで、回転軸１３１の外周面は、一部が回転軸線Ｌの延在方向全体に亘って平面状に切り欠かれた断面視Ｄ字形状とされ、軸係合孔８５ａは、回転軸１３１の外周形状と整合する断面視Ｄ字形状とされている。これにより、回転部材８２が回転軸１３１と共に回転軸線Ｌを中心として回転するようになっている。軸係合筒８５は、後方に突出して回転軸１３１の外周面との接触面積が大きく確保されているから、回転部材８２の回転に伴って回転基板８７がベース基板７９に対してずれるの防止して、導通片８０および導通面部９０の接触状態を維持し得るようになっている。なお、軸係合筒８５の外周面は、回転基板８７に形成された基板通孔８７ｂに嵌合して、回転部材８２が回転する際に当該回転部材８２がケース体７２に対してがたつくのを防止するよう機能している。また、軸係合筒８５は、ケース体７２を構成する後ケース７２ａの前面に設けた後側規制部７５の内側に挿嵌され、回転部材８２が回転する際に軸係合筒８５の外周面が後側規制部７５の内周面に摺接するように構成されている。また、軸筒部８３は、外周面が前記ケース体７２を構成する前ケース７２ｂに設けられた前側規制部７７の内周面と整合する形状とされており、回転部材８２が回転する際に軸筒部８３の外周面が前側規制部７７の内周面に摺接するように構成されている。すなわち、回転部材８２は、回転軸１３１を軸係合筒８５に挿通させた状態で、ケース体７２の前端部および後端部に位置する前側規制部７７および後側規制部７５に摺接しながら回転するよう構成されている。これにより、回転部材８２が回転軸１３１に対してがたつくことが規制されて安定的に回転し得るようになっている。
【００５２】
図８に示すように、前記前接続用開口８４は、前記軸筒部８３の前面板８３ａにおける軸係合筒８５を避けた位置に形成されると共に、前記支持カバー１２０に形成された連通口１２１ａに後方から臨んでいる。すなわち、回転可動体１３０の発光基板１４１に設けた可動側コネクタ接続部１４１ｂ(後述)と電気的に接続される配線のコネクタは、連通口１２１ａを介して取付部１０１の内部に挿入されると共に、前接続用開口８４を介して回転接続ユニット７０の回転部材８２の内部に挿入されて、回転基板８７の前コネクタ接続部８７ａに接続される。前コネクタ接続部８７ａと可動側コネクタ接続部１４１ｂ(後述)とを接続する配線は、回転軸１３１の回転に伴って同時に回転する回転可動体１３０および回転部材８２に追従して、連通口１２１ａの開口縁と回転軸１３１との間を移動するようになっている。ここで、回転可動体１３０の可動体ベース１３２には、円環状の環状壁部１３５(後述)が連通口１２１ａの内側に位置するように設けられており、前コネクタ接続部８７ａと可動側コネクタ接続部１４１ｂ(後述)とを接続する配線が当該環状壁部１３５の内側に挿通されることで、当該配線が連通口１２１ａと接触しないようになっている。なお、支持カバー１２０に形成された連通口１２１ａの径寸法は、軸筒部８３における前面板８３ａの径寸法よりも大きく設けられ、前面板８３ａの前面の全体が連通口１２１ａの後方に位置するようになっている。
【００５３】
(回転可動体１３０について)
図３および図９に示すように、前記回転可動体１３０は、前記駆動機構１１５,１１６,１１７に連動して回転する回転軸１３１(図５参照)の前端部が固定された可動体ベース１３２と、可動体ベース１３２に取り付けられる装飾カバー１３７と、装飾カバー１３７および可動体ベース１３２の内側に配置されて発光演出を行う発光ユニット１４０とにより構成されている。回転可動体１３０は、演出制御装置からの制御信号に応じて、回転軸１３１に沿う回転軸線Ｌを中心として一方向に複数回転したり、一回転に満たない回転角度で正逆方向に複数回転する揺動動作(正逆回転動作)を行うようになっている。また、可動体ベース１３２は、駆動取付部材１０２,１０３との間に回転接続ユニット７０が位置して、回転軸１３１の中心を通る回転軸線Ｌの延在方向において当該可動体ベース１３２と駆動取付部材１０２,１０３とが回転接続ユニット７０を挟んで離間するようになっている。発光ユニット１４０は、前方に光を照射する発光体１４２(ＬＥＤ)を有する発光基板１４１を備えると共に、発光基板１４１の発光体１４２から前方へ向けて照射される光を装飾カバー１３７の開口部１３８ａ,１３８ｂ,１３８ｃに入射させ得るようになっている。
【００５４】
(可動体ベース１３２について)
図９に示すように、前記可動体ベース１３２は、回転可動体１３０の回転原位置(図２に示す姿勢)において横長矩形状を基本とする形状に形成された板状部材であり、外縁形状が発光基板１４１の外縁形状に略整合すると共に装飾カバー１３７の後方開口を塞ぐように形成されている。図５、図６および図７に示すように、可動体ベース１３２には、回転軸１３１の前端部を固定する軸固定部１３３が設けられている。軸固定部１３３は、回転軸線の延在方向に沿って後方に突出する筒状に設けられ、回転軸１３１の前端部が挿入される軸嵌合孔１３３ａが後方に開口するよう形成されている。軸固定部１３３の軸嵌合孔１３３ａは、回転軸１３１の外周面の形状と整合する断面視Ｄ字状に形成されている。これにより、可動体ベース１３２が回転軸１３１と一体的に回転するようになっている。
【００５５】
図５および図７に示すように、前記可動体ベース１３２には、軸固定部１３３との隣接位置に、前後に開口する可動側接続用開口１３２ａが形成されており、該可動側接続用開口１３２ａを介して、発光基板１４１に設けた可動側コネクタ接続部１４１ｂを回転可動体１３０の後方に露出させるようになっている。なお、発光基板１４１の後面には、可動側コネクタ接続部１４１ｂが接続口を後方へ向けて設けられると共に、可動側コネクタ接続部１４１ｂの接続口が可動側接続用開口１３２ａに前側から臨むようになっている。
【００５６】
(環状壁部１３５について)
図５、図６および図７に示すように、前記可動体ベース１３２の後面には、軸固定部１３３および可動側接続用開口１３２ａの形成位置より外側に、後方に突出する環状壁部１３５が回転軸線Ｌを中心とする円環状をなすよう設けられている。すなわち、回転可動体１３０の発光基板１４１に接続されて可動側接続用開口１３２ａを介して回転可動体１３０の後側に引き出された配線は、可動体ベース１３２の環状壁部１３５の内側を通って回転接続ユニット７０の回転基板８７に接続されるようになっている。ここで、環状壁部１３５は、支持カバー１２０に設けた支持部１２４の開口の内側に前側から挿し込まれるよう構成されて、環状壁部１３５と支持部１２４とが回転軸線Ｌの交差方向に重なるようになっている。また、環状壁部１３５は、可動体ベース１３２の後面から回転接続ユニット７０の前面へ向けて後方(回転接続ユニット７０側)へ向かって突出すると共に、当該軸筒部８３の前面板８３ａの前面位置よりも後方まで突出するように設けられている。これにより、配線が外側に露出したりする不具合が防止されている。環状壁部１３５と支持部１２４との間には、円環状の介挿部材１５０が介挿されており、当該介挿部材１５０を介して回転可動体１３０が、前記支持カバー１２０に設けた支持部１２４に支持されるようになっている。
【００５７】
(突部１３６について)
図６および図７に示すように、前記回転可動体１３０の後面には、後方に突出する突部１３６が回転可動体の回転軸線を中心として設けられている。突部１３６は、環状壁部１３５に対する外周側に、回転可動体の回転軸線を中心とする円環状に連続するように設けられている。また、突部１３６は、支持カバー１２０に設けられた支持部１２４の径寸法と略同径となるように設けられており、当該突部１３６の突出端部と、支持部１２４の突出端部との間には、円環状の介挿部材１５０が介挿されている。そして、介挿部材１５０に設けられた第２介在部１５２を挟んで、突部１３６の突出端部と、支持部１２４の突出端部とが対向するように構成されている。
【００５８】
(連結壁部１３４について)
図６および図７に示すように、前記可動体ベース１３２の後面には、環状壁部１３５および軸固定部１３３を補強するための連結壁部１３４が設けられている。連結壁部１３４は、環状壁部１３５の内側で後方に突出するように設けられ、一端側が環状壁部１３５と連結すると共に、他端側が軸固定部１３３と連結されている。連結壁部１３４は、軸固定部１３３を中心として放射状に延在するよう複数(実施例では３つ)設けられている。これにより、回転軸線Ｌの交差方向に支持部１２４を押圧する力が加わる環状壁部１３５の基端部の強度を連結壁部１３４が高めるように作用すると共に、回転軸１３１から回転力が直接伝えられる軸固定部１３３の基端部の強度を連結壁部１３４が高めるように作用する。このように、連結壁部１３４により環状壁部１３５および軸固定部１３３を同時に補強することができることで、可動体ベース１３２の形状の複雑化が防止されている。なお、連結壁部１３４は、図６および図７に示すように、環状壁部１３５と連結する一端部および軸固定部１３３と連結する他端部の突出寸法が、当該一端部および他端部の間に位置する部位よりも大きく形成されており、これにより、連結壁部１３４の一端部と連結する環状壁部１３５の基端部および連結壁部１３４の他端部と連結する軸固定部１３３の基端部の強度がより一層高められている。
【００５９】
(介挿部材１５０と環状壁部１３５および支持部１２４との関係について)
前記介挿部材１５０は、自己潤滑性の高いポリアセタール(ＰＯＭ)等の合成樹脂により形成されている。また、介挿部材１５０は、図４、図６および図７に示すように、支持部１２４に内挿されると共に前後に開口する筒状の第１介在部１５１と、第１介在部１５１の前端部から回転軸線Ｌの交差方向に延出する円環板状の第２介在部１５２とにより構成されている。第１介在部１５１は、第２介在部１５２が支持部１２４の突出端部と当接した状態で回転接続ユニット７０に当接しない前後寸法に設けられている。
【００６０】
前記第１介在部１５１は、外周面の径寸法が支持部１２４の内周面の径寸法と略等しくなるように形成されると共に、内周面の径寸法が環状壁部１３５の外周面の径寸法と略等しくなるように形成されている。これにより、回転可動体１３０が介挿部材１５０の第１介在部１５１を介して支持部１２４に支持されるように構成されている。そして、回転可動体１３０の回転に伴って当該回転可動体１３０が遠心力により回転軸線Ｌの交差方向に振れると、回転可動体１３０の環状壁部１３５から回転軸線の交差方向に作用する力が介挿部材１５０の径方向に作用し、当該介挿部材１５０の第１介在部１５１に対し径方向に作用した力が、第１介在部１５１の外周面と摺接する支持部１２４の内周面に伝わるようになっている。すなわち、支持カバー１２０の支持部１２４に対して回転軸線Ｌの交差方向に重なる環状壁部１３５を可動体ベース１３２に設けたことで、回転可動体１３０の環状壁部１３５から回転軸線の交差方向に作用する力を、支持カバー１２０に設けた支持部１２４の内周面で受けるようになっている。また、回転可動体１３０において配線の経路を画成する環状壁部１３５が支持部１２４による支持対象としても兼用されていることで、回転可動体１３０の形状の複雑化を防止している。そして、可動演出装置１００は、支持部１２４が回転接続ユニット７０とは別体に設けられていることで、回転可動体１３０から回転軸線の交差方向に作用する力が回転接続ユニット７０に対する負荷とならないように構成されている。また、回転可動体１３０が回転する際に、環状壁部１３５が第１介在部１５１の内周面と摺接すると共に、第１介在部１５１の外周面が支持部１２４の内周面と摺接することとなり、回転可動体１３０の回転に伴って支持部１２４および環状壁部１３５の間に生じ得る摩擦抵抗を低減している。
【００６１】
図６および図７に示すように、前記第２介在部１５２は、内周面の径寸法が支持部１２４および突部１３６の内周面の径寸法より小さく、外周面の径寸法が支持部１２４および突部１３６の外周面の径寸法より大きくなるように形成されている。また、第２介在部１５２は、支持部１２４の突出端部と当接して当該突出端部を前側から覆うように構成されている。これにより、回転可動体１３０の突部１３６から取付部１０１側に作用する力が介挿部材１５０を介して支持部１２４の突出端部に伝わるようになっている。すなわち、支持カバー１２０の支持部１２４の突出端部に対して前方から突出端部が対向するように突部１３６を可動体ベース１３２に設けたことで、回転可動体１３０が回転に伴って回転軸線Ｌの交差方向に振れた際に、回転可動体１３０の環状壁部１３５から取付部１０１側に作用する力を、支持カバー１２０に設けた支持部１２４の突出端部で受けることができる。そして、支持部１２４が回転接続ユニット７０とは別体に設けられていることで、回転可動体１３０から取付部１０１側に作用する力が回転接続ユニット７０に対する負荷とならないように構成されている。また、回転可動体１３０が回転する際に当該回転可動体１３０が遠心力により回転軸線Ｌの交差方向にがたつくと、突部１３６の突出端部が第２介在部１５２の前面と摺接すると共に、第２介在部１５２の後面が支持部１２４の突出端部と摺接することとなり、回転可動体１３０の回転に伴って支持部１２４および突部１３６の間に生じ得る摩擦抵抗を低減している。
【００６２】
(装飾カバー１３７および発光ユニット１４０について)
前記装飾カバー１３７は、光遮蔽性を有する合成樹脂により形成されており、図９に示すように、回転可動体１３０の前面を構成している。装飾カバー１３７は、前壁部１３８と、前壁部１３８の外縁から後方に延出する周壁部１３９とにより後方に開口する箱状に設けられ、ネジ等の固定手段によって可動体ベース１３２に固定されている。装飾カバー１３７の前壁部１３８には、発光ユニット１４０から出力される光を回転可動体１３０の前方へ向けて出射する開口部１３８ａ,１３８ｂ,１３８ｃが形成されている。また、装飾カバー１３７の周壁部１３９には、後方へ向けて開放された凹状の切欠き部１３９ａが形成されている。装飾カバー１３７には、開口部１３８ａ,１３８ｂ,１３８ｃとして、回転軸線Ｌの延在方向に位置する第１開口部１３８ａと、第１開口部１３８ａに対して右上方および左上方に位置するよう設けられた第２開口部１３８ｂと、第１開口部１３８ａおよび第２開口部１３８ｂより下側で左右に延在するよう設けられた第３開口部１３８ｃとが形成されている。因みに、実施例の回転可動体１３０は、ロボットの顔を表現したものであり、第１開口部１３８ａがロボットの鼻に相当し、一対の第２開口部１３８ｂがロボットの目に相当し、第３開口部１３８ｃがロボットの口に相当したものとなっている。
【００６３】
図９に示すように、前記発光ユニット１４０は、装飾カバー１３７の前壁部１３８と可動体ベース１３２との間に位置して装飾カバー１３７の周壁部１３９により上下および左右が囲われるように回転可動体１３０の内部に収容されている。この発光ユニット１４０は、前方へ向けて光を出力可能な発光体(ＬＥＤ)１４２を前面に備えた発光基板(電気部品)１４１と、発光基板１４１の前面に対向して配置されて、発光基板１４１が備える複数の発光体１４２の各光照射範囲を区画する光規制部材１４５と、光規制部材１４５を前側から覆う有色透明の合成樹脂材からなるカラーフィルム１４６と、カラーフィルム１４６および光規制部材１４５を前側から覆うと共に装飾カバー１３７の開口部１３８ａ,１３８ｂ,１３８ｃを塞ぐように設けられた光透過性素材からなる第１レンズ部材１４７と、装飾カバー１３７の周壁部１３９から上方および左右側方に夫々突出して配設された光透過性素材からなる第２レンズ部材１４８とを備えている。そして、発光ユニット１４０は、当該発光ユニット１４０の最も後側に設けられた発光基板１４１の後面が可動体ベース１３２の前面に対向し、当該発光ユニット１４０の最も前側に設けられた第１レンズ部材１４７が装飾カバー１３７の内側に後方から嵌り込むようにして配置されている。可動体ベース１３２の前面に対向する発光基板１４１の後面には、可動体ベース１３２に形成された可動側接続用開口１３２ａに対応する位置に、回転基板８７と繋がる配線のコネクタが接続される可動側コネクタ接続部１４１ｂが配設されている。
【００６４】
図９に示すように、前記発光基板１４１の前面には、装飾カバー１３７の各開口部１３８ａ,１３８ｂ,１３８ｃに対応して、発光体１４２(発光体１４２群)の配設領域である発光領域１４２ａ,１４２ｂ,１４２ｃが複数設けられている。具体的には、装飾カバー１３７の第１開口部１３８ａと前後に重なる位置に、１個の発光体１４２を有する第１発光領域１４２ａが設けられている。また、発光基板１４１の前面には、装飾カバー１３７の第２開口部１３８ｂと前後に重なる位置に、複数個の発光体１４２が縦横に並列して配設された左右一対の第２発光領域１４２ｂが設けられている。更に、発光基板１４１の前面には、装飾カバー１３７の第３開口部１３８ｃと前後に重なる位置に、複数個の発光体１４２が左右に等間隔で複数個配設された第３発光領域１４２ｃが設けられている。光規制部材１４５には、発光基板１４１の第２発光領域１４２ｂに対応する部位に、第２発光領域１４２ｂに配設された各発光体１４２に対応して前後に貫通する通孔が網目状に形成された区画部１４５ａが形成されている。区画部１４５ａは、第２発光領域１４２ｂの各発光体１４２から照射される光の照射範囲を通孔の範囲に制限することで、回転可動体１３０の正面から見たときに第２発光領域１４２ｂの各発光体１４２の光が重ならず個別に視認できるように構成されている。また、カラーフィルム１４６は、発光基板１４１の第２発光領域１４２ｂに対応する区画部１４５ａを前側から覆うように配置されている。カラーフィルム１４６は、光規制部材１４５と同系色(実施例では、黒色)のシートであり、回転可動体１３０を前方から見た場合の光規制部材１４５に対する視認性を低下させつつ、発光基板１４１の発光体１４２の光を回転可動体１３０の前方に透過させるようになっている。第１レンズ部材１４７は、装飾カバー１３７に設けた各開口部１３８ａ,１３８ｂ,１３８ｃに後側から嵌まり込む突状の嵌合レンズ部１４７ａが複数設けられている。嵌合レンズ部１４７ａは、各開口部１３８ａ,１３８ｂ,１３８ｃから出射される光の進行方向に変化を与えるように構成されている。
【００６５】
図９に示すように、装飾カバー１３７の周壁部１３９に形成された切欠き部１３９ａには、後側から第２レンズ部材１４８が嵌め込まれるようになっている。また、発光基板１４１には、第２レンズ部材１４８の後側であって切欠き部１３９ａと可動体ベース１３２の前面との間から外方に突出する基板突出部１４１ａが設けられており、当該基板突出部１４１ａの前面にも発光体１４２が配置されている。すなわち、基板突出部１４１ａの前面は、第２レンズ部材１４８に光を照射する発光体１４２が配設された第４発光領域１４２ｄとされている。
【００６６】
前記発光ユニット１４０を構成する各部材１４１,１４２,１４５,１４６,１４７,１４８は、ネジ等の固定手段を用いずに、可動体ベース１３２および装飾カバー１３７の間に挟み込まれて回転可動体１３０に配設されるようになっている。具体的には、第１レンズ部材１４７は、装飾カバー１３７の内面により画成される空間に収容可能な大きさに設けられて、装飾カバー１３７の各開口部１３８ａ,１３８ｂ,１３８ｃに対して嵌合レンズ部１４７ａが後方から嵌合することで当該装飾カバー１３７に位置決めされる。第１レンズ部材１４７は、後方に開口する箱状に形成されており、内面により画成される空間には、カラーフィルム１４６および光規制部材１４５が収容される。第１レンズ部材１４７の後端部における切欠き部１３９ａと並ぶ位置には、後方に開放された凹状の凹面部１４７ｂが形成され、装飾カバー１３７の切欠き部１３９ａと第１レンズ部材１４７の凹面部１４７ｂとに前面が当接するように第２レンズ部材１４８が配設される。また、装飾カバー１３７には、切欠き部１３９ａの内縁中央に、後方へ突出する位置決め突片１３９ｂが形成されており、第２レンズ部材１４８の前面に形成された位置決め溝１４８ａに位置決め突片１３９ｂを挿入することで、装飾カバー１３７に対して第２レンズ部材１４８が位置決めされる。また、第２レンズ部材１４８には、装飾カバー１３７の切欠き部１３９ａの両端部に対して内側から当接する抜出規制片１４８ｂが設けられており、当該抜出規制片１４８ｂによって切欠き部１３９ａから外側への第２レンズ部材１４８の離脱が規制されている。そして、装飾カバー１３７の内側に発光ユニット１４０を配置した状態で後側から可動体ベース１３２を装飾カバー１３７にネジ固定することで、発光ユニット１４０ががたつきなく回転可動体１３０の内部に固定されるようになっている。なお、装飾カバー１３７の第２開口部１３８ｂと、第２開口部１３８ｂに対応する発光基板１４１の第２発光領域１４２ｂと、第２発光領域１４２ｂに対応する光規制部材１４５の区画部１４５ａと、カラーフィルム１４６とは、回転可動体１３０を正面から見た状態で複数の発光体１４２を点灯および消灯制御することによって発光点の集合によりキャラクタ等の絵柄(図柄)を表示可能な表示部を構成している。
【００６７】
(実施例の作用)
次に、前述した実施例に係るパチンコ機１０の作用につき説明する。
【００６８】
実施例のパチンコ機１０は、回転動作可能な回転可動体１３０を有する可動演出装置１００を備えるように構成されている。可動演出装置１００は、発光基板１４１を有する回転可動体１３０が取付部１０１に対して回転可能に設けられて、取付部１０１側(遊技盤２０)に位置する演出制御装置と回転可動体１３０の発光基板１４１とを電気的に接続するよう構成されている。このパチンコ機１０には、演出制御装置と、回転可動体１３０の発光基板１４１とを電気的に接続するための回転接続ユニット７０が取付部１０１に配設されている。回転接続ユニット７０は、回転可動体１３０の回転に伴って回転する回転部材８２がケース体７２に収容されており、ケース体７２側の導通片８０に演出制御装置が電気的に接続されると共に、回転部材８２側の導通面部９０に回転可動体１３０の発光基板１４１が電気的に接続され、当該回転部材８２の回転時に導通片８０および導通面部９０が摺接して電気的に導通するよう構成されている。すなわち、回転接続ユニット７０の導通片８０および導通面部９０が摺接して電気的な接続状態を維持することにより、回転可動体１３０の一方向への回転数に拘らず発光基板１４１および演出制御装置の電気的な接続状態を維持することができる。
【００６９】
ここで、可動演出装置１００は、前後に延在する回転軸１３１の先端部に回転可動体１３０の後端部(可動体ベース１３２)が固定されており、回転軸１３１には、取付部１０１に設けた軸受け部材１０７による支持位置より前側に回転可動体１３０の荷重が大きく作用することで、回転可動体１３０を回転させた場合に回転軸１３１の先端側が回転軸線Ｌの交差方向に大きく振れる。また、可動演出装置１００の回転可動体１３０は、回転軸線Ｌから上下の縁部までの寸法と、回転軸線Ｌから左右の縁部までの寸法とが相違する形状とされており、回転軸１３１に作用する回転可動体１３０の荷重は、回転可動体１３０を回転させた場合に回転軸線Ｌの交差方向(左右方向)に変化する。これらのことから、回転可動体１３０の回転に伴い、回転軸線Ｌの交差方向に力が作用することとなる。そして、当該回転軸線Ｌの交差方向に作用する力を回転接続ユニット７０で支持する場合には、回転接続ユニット７０の変形等が生じ、該回転接続ユニット７０導通片８０と導通面部９０との相対位置が変化して、導通片８０および導通面部９０の導通状態が維持できなくなることが考えられる。これに対して、可動演出装置１００は、回転可動体１３０の回転軸線Ｌから交差方向に離間するよう支持部１２４が取付部１０１に設けられており、回転可動体１３０の回転に伴って回転軸線Ｌの交差方向に作用する力を支持部１２４で受けるように構成されている。すなわち、回転可動体１３０の取付部１０１に設けた支持部１２４によって、回転可動体１３０から当該回転可動体１３０の回転軸線Ｌの交差方向へ作用する力を受けることで、回転接続ユニット７０に対する負荷を軽減することができる。これにより、回転接続ユニット７０の損傷や変形を防止して導通片８０および導通面部９０の相対位置を一定に保つことができるから、回転部材８２が回転した場合にもベース基板７９と回転基板８７との導通状態を維持し得る。すなわち、回転可動体１３０を自由に回転させつつ、発光基板１４１および演出制御装置の電気的な接続状態を確実に維持することができる。
【００７０】
また、回転接続ユニット７０は、中間部材１０３の第１保持枠部１１０および支持カバー１２０の第２保持枠部１２５から内側に離間した状態でユニット収容部１２６に収容されると共に、支持部１２４を有する支持カバー１２０に位置決めピン１２３を介して連結されている。これにより、回転可動体１３０から回転軸線Ｌの交差方向への力を受けた支持カバー１２０が駆動取付部材１０２,１０３(中間部材１０３)に対して相対的にずれた際に、支持カバー１２０に追従して回転接続ユニット７０がユニット収容部１２６内で変位できる。すなわち、回転接続ユニット７０と、支持カバー１２０の第２保持枠部１２５との相対的な位置を一定にすることができるから、回転可動体１３０から回転軸線Ｌの交差方向への力を受けた支持カバー１２０が回転接続ユニット７０を押圧するように作用するのを防止して、回転接続ユニット７０の変形や破損を防止することができる。また、支持カバー１２０の変位に伴って回転接続ユニット７０が変位した際に、ユニット収容部１２６を画成する中間部材１０３の第１保持枠部１１０との干渉が回避されることで、回転接続ユニット７０の変形や破損を防止することができる。これにより、回転接続ユニット７０の導通片８０および導通面部９０の相対的な位置関係を維持することができ、回転可動体１３０の回転中に演出制御装置と発光基板１４１との電気的な接続状態が途切れてしまうような不具合を防止することができる。
【００７１】
また、可動演出装置１００の回転接続ユニット７０は、導通片８０と、演出制御装置側に繋がる配線のコネクタが接続された上コネクタ接続部７９ａとを有するベース基板７９をケース体７２に保持すると共に、導通面部９０と、発光基板１４１に繋がる配線のコネクタが接続された前コネクタ接続部８７ａを有する回転基板８７を回転部材８２に保持して、当該回転部材８２を、ケース体７２によって回転可能に保持するように構成されている。ここで、回転接続ユニット７０のケース体７２には、回転可動体１３０の回転軸線Ｌを中心とする環状に突出する前側規制部７７が設けられており、回転接続ユニット７０の回転部材８２の外周面が前側規制部７７の内周面に摺接して、回転可動体１３０の回転に伴って回転部材８２が回転するように構成されている。すなわち、ケース体７２に設けた前側規制部７７の内周面に回転部材８２の外周面が摺接するよう構成することで、回転部材８２の回転位置のずれを規制して、発光基板１４１および演出制御装置の電気的な接続状態を確実に維持することができる。
【００７２】
また、支持カバー１２０に設けられた支持部１２４は、回転可動体１３０の回転軸線Ｌを中心とする環状に設けられ、回転可動体１３０には、回転軸線Ｌを中心とする環状に延在して当該回転軸線Ｌの交差方向に支持部１２４と重なる環状壁部１３５が設けられている。そして、環状壁部１３５および支持部１２４の間に環状の介挿部材１５０が介挿されており、回転可動体１３０の回転に伴って回転可動体１３０の回転軸線Ｌの交差方向に作用する力を、当該介挿部材１５０を介して支持部１２４で支持するように構成されている。すなわち、支持部１２４および環状壁部１３５の間に介挿部材１５０を介挿することで、回転可動体１３０の回転に伴って支持部１２４および環状壁部１３５の間に生じ得る摩擦抵抗を低減させることができるから、回転可動体１３０をスムーズに回転させることができる。
【００７３】
また、回転可動体１３０には、駆動モータ１１５の駆動力により回転する回転軸１３１が設けられ、回転軸１３１の回転により回転するように構成されると共に、回転軸１３１を固定するための軸固定部１３３が設けられている。そして、回転可動体１３０には、当該回転可動体１３０に設けた軸固定部１３３および環状壁部１３５を連結する連結壁部１３４が設けられている。すなわち、回転可動体に設けられる軸固定部および環状壁部を連結壁部で連結するよう構成することにより、連結壁部で軸固定部および環状壁部を同時に補強することができる。
【００７４】
また、介挿部材１５０は、回転可動体１３０の回転軸線Ｌの延在方向(前後方向)に開口する筒状の第１介在部１５１と、この第１介在部１５１の前端部から回転軸線Ｌの交差方向に延出する第２介在部１５２とを備えており、環状壁部１３５および支持部１２４の間に第１介在部１５１が介在すると共に、支持部１２４の突出端部と回転可動体１３０との間に第２介在部１５２が介在するよう構成されている。そして、第２介在部１５２を挟んで支持部１２４の突出端部と対向する回転可動体１３０には、第２介在部１５２へ向けて突出する突部１３６が設けられており、当該突部１３６の突出端部が第２介在部１５２に当接するよう構成されている。すなわち、回転可動体１３０に設けた突部１３６が、介挿部材１５０に設けた第２介在部１５２に当接するよう構成することにより、支持部１２４の突出端部と回転可動体１３０との間に生じ得る摩擦抵抗を低減することができ、回転可動体１３０をスムーズに回転させることができる。なお、環状壁部１３５の突出端部と支持カバー１２０との間に第２介在部１５２が介在するよう構成し、第２介在部１５２を挟んで環状壁部１３５の突出端部と対向する支持カバー１２０に、第２介在部１５２へ向けて突出する突部１３６を設けて、当該突部１３６の突出端部が第２介在部１５２に当接するよう構成しても、同様の効果を奏し得る。
【００７５】
また、突部１３６は、支持部１２４の突出端部または環状壁部１３５の突出端部に対して回転軸線の延在方向に並ぶように設けられている。これにより、回転可動体１３０に設けた突部１３６と、支持カバー１２０に設けた支持部１２４の突出端部との間に、第２介在部１５２を安定して支持することができる。なお、環状壁部１３５の突出端部と支持カバー１２０との間に第２介在部１５２が介在するよう構成して突部１３６を支持カバー１２０に設けた構成においては、突部１３６を環状壁部１３５の突出端部に対して回転軸線の延在方向に並ぶように設けることで、同様の効果を奏し得る。
【００７６】
(変更例)
本発明は、前述の実施例に限定されず、以下の如く変更することも可能である。
(１) 実施例では、回転可動体が電気部品として発光基板を備えるように構成したが、駆動モータや駆動ソレノイド等の駆動源や、センサ等を電気部品として備えるものであってもよい。
(２) 実施例では、回転可動体の回転軸線が前後に延在するように構成したが、これに限らず、回転軸線が左右または上下に延在するように構成してもよい。
(３) 実施例では、支持部の内周側に環状壁部が位置する構成としたが、環状壁部の内周側に支持部が位置して、回転可動体の回転に伴って回転軸線の交差方向に作用する力が回転可動体の環状壁部の内周面から支持部の外周面に付与されるように構成してもよい。
(４) 実施例では、回転可動体が一方向に複数回転するよう構成したが、回転可動体が常に一回転に満たない回転範囲で回転動作するように構成してもよい。
(５) 実施例では、回転軸線上に延在する棒状の回転軸を備えるように構成したが、回転軸線を中心とする円環状の回転軸を採用してもよい。例えば、円環状の回転軸の一端側を回転可動体に固定して設けると共に、当該回転軸の他端側を駆動機構により回転駆動するように構成してもよい。
(６) 実施例では、可動演出装置の取付部を駆動取付部材(中間部材および後側部材)および支持カバーにより構成したが、支持カバーを設けず、駆動取付部材の中間部材および後側部材の内側にユニット収容部を設けると共に該ユニット収容部に回転接続ユニットを収容して、中間部材の前面に支持部を設けるように構成してもよい。
(７) 実施例では、回転可動体に設けた環状壁部と、取付部(支持カバー)に設けた支持部との間に環状の介挿部材を介挿するように構成したが、介挿部材を設けず、環状壁部が支持部に直接的に当接して、環状壁部から回転軸線の交差方向に作用する力を支持部によって直接受ける構成としてもよい。
(８) 実施例では、介挿部材に対し、環状壁部と支持部との間に介在する第１介在部と、支持部の突出端部と突部との間に介在する第２介在部とを設けたが、環状壁部と支持部との間に介在する第１介在部と、支持部の突出端部(または環状壁部の突出端部)と突部との間に介在する第２介在部のうち一方のみを介挿部材に設けるようにしてもよい。
(９) 実施例では、支持部を回転軸線を中心とする環状に設けたが、これに限るものではない。すなわち、支持部は、回転軸線を中心とする同一円周上に並ぶよう複数設けられた突起であってもよいし、回転軸線を囲う楕円形状に設けられるものであってもよいし、円形以外の形状(例えば、矩形状)に沿って複数設けられるものであってもよい。また、支持部は、単に回転軸線に対して一方に離間した位置に設けられるものでもよい。
(１０) 実施例では、環状壁部を回転可動体(可動体ベース)から回転接続ユニットへ向けて突出すると共に、回転部材の軸筒部より径方向外側に延在して当該軸筒部の前面板の前後位置よりも後方まで突出するように構成したが、環状壁部の径寸法を軸筒部の径寸法より小さくして、環状壁部が回転可動体から軸筒部の前面板の前面へ向けて突出するように構成してもよい。この場合には、回転可動体の電気部品と回転接続ユニットの回転基板とを電気的に接続する配線が、回転接続ユニットにおける回転部材の軸筒部と、ケース体の前側規制部との間に挟み込まれるのを防止することができる。
(１１) 実施例では、回転接続ユニットを、中間部材の第１保持枠部および支持カバーの第２保持枠部から内側に離間した状態でユニット収容部に収容されると共に、支持部を有する支持カバーに位置決めピンを介して連結するように構成したが、ネジ等の固定手段によって回転接続ユニットを支持カバーに連結するようにしてもよい。
(１２) 実施例では、回転接続ユニットを、中間部材の第１保持枠部および支持カバーの第２保持枠部から内側に離間した状態でユニット収容部に収容されると共に、支持部を有する支持カバーに位置決めピンを介して連結するように構成したが、中間部材に設けた位置決めピンを介して回転接続ユニットを当該中間部材に連結するように構成してもよい。
(１３) 実施例では、枠状装飾体に表示窓口および演出窓口を別個に設け、演出窓口の内側に回転可動体が位置するように構成したが、枠状装飾体の表示窓口の内側に回転可動体が位置して、当該表示窓口内で回転動作したり、発光したりするように構成してもよい。
(１４) 実施例では、設置空間に設けられた基台部材に対して可動演出装置の取付部を固定することで可動演出装置を遊技盤に配置したが、可動演出装置の取付部を基台部材に対して移動し得るように配設することで可動演出装置を遊技盤に配置してもよい。
(１５) 実施例では、回転可能な回転可動体に備えられる電気部品と、取付部側に備えられる制御部との電気的な接続を回転接続ユニットが中継するよう構成したが、これに限られるものではない。例えば、取付部に対して直線方向に往復動作する可動体に備えられる電気部品と、取付部側に備えられる制御部と、電気部品および制御部の電気的な接続を中継する接続ユニットとを備え、接続ユニットに備えた第１導通部および第２導通部の摺接によって電気部品および制御部を電気的に導通させるように構成すると共に、可動体の往復動作に伴って当該可動体の往復動作方向と交差する方向に作用する力を、取付部に設けた支持部で受けるように構成することもできる。
(１６) 実施例では、遊技機の１種であるパチンコ機を例として説明したが、遊技メダルを遊技媒体として用いるスロットマシンに本発明を採用してもよい。
【符号の説明】
【００７７】
７０ 回転接続ユニット
７２ ケース体
７７ 前側規制部(規制部)
７９ ベース基板
７９ａ 上コネクタ接続部(コネクタ接続部)
８０ 導通片(第１導通部)
８２ 回転部材
８３ 軸筒部(被規制部)
８７ 回転基板
８７ａ 前コネクタ接続部(コネクタ接続部)
９０ 導通面部(第２導通部)
１０１ 取付部
１２４ 支持部
１３０ 回転可動体
１３１ 回転軸
１３３ 軸固定部
１３４ 連結壁部
１３５ 環状壁部
１３６ 突部
１４１ 発光基板
１５０ 介挿部材
１５１ 第１介在部
１５２ 第２介在部
Ｌ 回転軸線
【図１】
2016140578.tif 000003
【図２】
2016140578.tif 000004
【図３】
2016140578.tif 000005
【図４】
2016140578.tif 000006
【図５】
2016140578.tif 000007
【図６】
2016140578.tif 000008
【図７】
2016140578.tif 000009
【図８】
2016140578.tif 000010
【図９】
2016140578.tif 000011